(57)【要約】      （修正有）【課題】温熱、保温、通気、発汗、防水機能を有する全天候型電熱保温ウェアを提供する。【解決手段】全天候型電熱保温ウェアは、ジャケット形状に製造し、外から内へと順番に、外界と隔離する表層、内へと進入しようとする水分を隔絶する防水通気層、内外の温度差を隔絶する断熱アルミ箔層、蓄熱に用いる保温綿層、ライナー層を備える。防水通気層は複数の細密な微小孔を備え、湿気を内から外へと発散させ、断熱アルミ箔層は複数の細密な通気孔を備えるため、湿気を内から外へと発散させ、保温綿層とライナー層との間には適量の発熱片７０、７０ａ、７０ｂを設置する。ジャケットにはバッテリーを収容設置する収容設置部６０とスイッチ８０を設置し、スイッチ８０はバッテリーを制御し給電させ、発熱片７０、７０ａ、７０ｂを発熱させる。【選択図】図１
0003177287.tif 000002
【実用新案登録請求の範囲】
【請求項１】
全天候型電熱保温ウェアは、表層、防水通気層、断熱アルミ箔層、保温綿層、ライナー層、収容設置部、適量の発熱片、スイッチを備え、
前記表層は、外界と隔離するために用い、ジャケットの形状に製造し、脱着することができ、
前記防水通気層は、前記表層内側に設置し、外から進入しようとする水分を隔絶し、複数の細密な微小孔を備え、湿気を内から外へと発散させ、
前記断熱アルミ箔層は、前記防水通気層内側に設置し、内外の温度差を隔絶し、複数の細密な通気孔を備えるため、湿気を内から外へと発散させることができ、
前記保温綿層は、前記断熱アルミ箔層内側に設置し、蓄熱に用い、前記ライナー層は、前記保温綿層内側に設置し、ジャケットと同じ形状に製造し、脱着可能となり、
前記収容設置部は、前記ジャケット上の最適な位置に設置し、少なくとも１個のバッテリーを収容設置し、
前記若干の発熱片は、前記保温綿層と前記ライナー層との間に設置し、前記バッテリーとの間は、電源線を通して電気的に連接し、
前記スイッチは、前記ジャケット上に設置し、前記電源線を通して、前記発熱片と前記バッテリーとの間に電気的に連接し、前記バッテリーを制御し、
前記発熱片に給電させ、前記発熱片に発熱させることを特徴とする全天候型電熱保温ウェア。
【請求項２】
前記表層は、ジャケット形状を呈し、後ろ身頃、及び前記後ろ身頃両側に連接する前身頃を備え、
前記発熱片は、前記後ろ身頃と前記前身頃内部にそれぞれ設置し、前記ジャケット着用者の背中部、腹部、胸部位置に位置することを特徴とする請求項１に記載の全天候型電熱保温ウェア。
【請求項３】
前記収容設置部は、前記表層内側に位置し、前記ジャケット着用者の腕の位置に相対することを特徴とする請求項１に記載の全天候型電熱保温ウェア。
【請求項４】
前記収容設置部は、前記表層外側、内側、或いは前記ライナー層に位置することを特徴とする請求項１に記載の全天候型電熱保温ウェア。
【請求項５】
前記バッテリーは、充電式、或いは使い捨て式であることを特徴とする請求項１に記載の全天候型電熱保温ウェア。
【請求項６】
前記収容設置部は、前記バッテリーの充電線または充電コンセントを備え、
前記充電線または充電コンセントは、前記収容設置部外に露出することを特徴とする請求項１に記載の全天候型電熱保温ウェア。
【請求項７】
前記スイッチは、前記表層内側の、前記ジャケットの袖口に相対する位置に、取り外し可能式に設置することを特徴とする請求項１に記載の全天候型電熱保温ウェア。
【請求項８】
前記スイッチは、前記表層外側、前記表層内側、または前記ライナー層に、取り外し可能式に設置することを特徴とする請求項１に記載の全天候型電熱保温ウェア。
【請求項９】
前記発熱片は、カーボン繊維素材により製造することを特徴とする請求項１に記載の全天候型電熱保温ウェア。
【請求項１０】
前記発熱片は、ファブリックと巻かれたカーボン繊維素材により製造されることを特徴とする請求項１に記載の全天候型電熱保温ウェア。
【請求項１１】
前記発熱片は、前記スイッチにより、多段階の温度調節が可能であることを特徴とする請求項１に記載の全天候型電熱保温ウェア。
【考案の詳細な説明】
【技術分野】
【０００１】
本考案は全天候型電熱保温ウェアに関し、特に発熱片の発熱を利用し暖かさを提供し、保温綿層と断熱アルミ箔層を利用し蓄熱/保温し、通気、発汗、防水の効果を兼ね備えた
ジャケット型保温ウェアである全天候型電熱保温ウェアに関する。
【背景技術】
【０００２】
冬の訪れと共に、冷たい北風が吹きすさび、非常な寒さをもたらす。そのため、人は冬季の外出時には、厚手のジャケットを着用して寒さから身を守る。
しかし、厚手のジャケットの内部には、コットン綿、ダウン、或いは化繊綿などが充填されているだけで、その防寒機能には限界があるばかりか重たいため、着用者の活動に影響を及ぼす。
しかも、かなりの重量を身体に受けることで不快感を感じ、着脱が不便であるという問題もある。さらに寒冷で気候変動が大きい山間では、該ジャケットを着用し登山などを行う際には尚更である。山間部の気候状況に対応するため、登山者は通常、数枚の厚手のジャケットを着用しなければならず、行動への影響と、身体への重量負担はさらに大きくなってしまう。
【０００３】
上記した状況に対応し、市場には使い捨てカイロ、伝統的カイロ、或いは衣服ライナーに縫い付ける電熱線など多種の携帯用保温装置が見られる。
使い捨てカイロは不織布で作られた袋に化学物質を充填し組成するもので、使用の前に不織布全体を適当に揉むことで、内部の化学物質に作用を起こさせ、徐々に発熱させ温熱効果を得るものである。しかし、従来の使い捨てカイロの発熱時間には制限があり、しかも温度制御が難しいため使用に適さないことも多い。
しかも、化学物質が外部に漏れ人体に害を及ぼす恐れがある。
【０００４】
伝統的カイロは、電熱、或いは燃油を発熱源として使用する。通常は、硬い構造の外殻を備え、一定の体積を持ち、外殻体内に電気発熱器、或いは燃油を注入し、発熱させて温熱作用を提供する。しかし、その外殻体は、ジャケットのポケットとサイズ面で合わないことが多く、しかもジャケット内面にポケットを設置するとは限らないため、ジャケット内のどこに入れるかを選択するのが難しく、しかも身体に密着させて快適に使用することはできない。
さらに燃油を発熱源とする設計では、軽油や洗浄用ナフサオイルを燃焼させるため安全性に問題がある。
【０００５】
電熱線を衣服のライナーに縫製する方法は、電熱線の湾曲が困難であるため柔軟性が劣る。また、衣服が汚れても、洗濯できないという問題がある。
この他伝統的な携帯用保温装置は、身体の局部の一点、或いは線に対して、温熱効果を提供できるだけであるため、同時に多数を使用しない限り、身体の各部で感じる暖かさに差異が出てしまうという問題がある。
【０００６】
さらに、暖かい空気が外界へと飛散することを防止し、外界の冷たい空気が進入することを防止するため、従来のジャケットは通気性を備えない材料により製造されている。
これは保温効果を高めることはできるが、ジャケット着用者が発する汗も外界へと発散されないという問題があり、発汗により不快感を感じ易くなってしまう。
本考案は、従来の保温装置の上記した欠点に鑑みてなされたものである。
【考案の概要】
【考案が解決しようとする課題】
【０００７】
本考案が解決しようとする課題は、使い捨てカイロ、伝統的カイロ、或いは衣服ライナーに縫い付ける電熱線などの従来の携帯式温熱装置において、使い捨てカイロは温度制御が理想的でなく、化学物質が漏れ人体に害を及ぼす恐れがあり、伝統的カイロは外殻体サイズとジャケットのポケットサイズが合わないため、使用者にとってジャケット内のどこに入れるかの選択が難しく、外殻体は身体に密着させて快適に使用することができず、燃油は使用上安全性に問題があり、電熱線は柔軟性に欠け、及び身体の局部の一点、或いは線に対してしか温熱効果を提供できないという従来の技術に存在する欠点を解決することができる温熱、保温、通気、発汗、防水機能を一体に結合する全天候型電熱保温ウェアを提供することである。
【課題を解決するための手段】
【０００８】
上記課題を解決するため、本考案は下記の全天候型電熱保温ウェアを提供する。
全天候型電熱保温ウェアは、表層、防水通気層、断熱アルミ箔層、保温綿層、ライナー層、収容設置部、適量の発熱片、スイッチを備え、
該表層は、外界と隔離するために用い、ジャケットの形状に製造し、脱着することができ、
該防水通気層は、該表層内側に設置し、外から内へと進入しようとする水分を隔絶し、複数の細密な微小孔を備え、湿気を内から外へと発散させ、
該断熱アルミ箔層は、該防水通気層内側に設置し、内外の温度差を隔絶し、複数の細密な通気孔を備えるため、湿気を内から外へと発散させることができ、
該保温綿層は、該断熱アルミ箔層内側に設置し蓄熱に用い、該ライナー層は該保温綿層内側に設置し、ジャケットと同じ形状に製造し、脱着可能となり、
該収容設置部は、該ジャケット上最適な位置に設置し、少なくとも１個のバッテリーを収容設置し、
該若干の発熱片は、該保温綿層と該ライナー層との間に設置し、該バッテリーとの間は、電源線を通して電気的に連接し、該スイッチは該ジャケット上の操作上最適位置に設置し、
該電源線を通して、該発熱片と該バッテリーとの間に電気的に連接し、該バッテリーを制御し、該発熱片に給電し、該発熱片に発熱させ、
該発熱片が生じた熱は、該ライナー層を通して、該ジャケット着用者に温熱効果を提供し、該保温綿層と該断熱アルミ箔層内側に蓄積され、しかも該ジャケット着用者が発した汗と湿気は、
該断熱アルミ箔層の通気孔と該防水通気層の微小孔から、外界へと発散され、同時に該防水通気層は、外界の水分と強風が進入しないよう隔絶でき、
上記のように、本考案は、該発熱片、該保温綿層、該断熱アルミ箔層を利用して、最適な温熱及び保温効果を提供することができ、該発熱片を最適で理にかなった位置に定位できるため、
快適に密着する接触感を提供することができ、しかもこれにより、着用者の活動により、該発熱片の位置ずれを防止でき、さらに多数の位置に設置する該発熱片、
該保温綿層、該断熱アルミ箔層の保温能力により、着用者の身体の各部位に対して、同時に温熱効果を提供することができ、
また、該断熱アルミ箔層と該防水通気層により、外界に対して通気を行い、汗を排出し、防水機能をも提供でき、温熱、保温、通気、発汗、防水機能を単一の保温ウェアに結合する目的を達成することができ、該表層は、ジャケット形状を呈し、後ろ身頃、及び該後ろ身頃両側に連接する２個の前身頃を備え、該発熱片は、該後ろ身頃と該前身頃内にそれぞれ設置し、
ジャケット着用者の背中部、腹部、胸部位置に位置し、該収容設置部は、該表層内側の、ジャケット着用者の腕の位置に相対し、該収容設置部は、該表層外側、内側、ライナー層に位置し、
該バッテリーは、充電式、或いは使い捨て式で、該収容設置部は、該バッテリーの充電線または充電用コンセントを備え、該充電線または該充電用コンセントは、
該収容設置部外に露出させることができ、該スイッチは、該表層内側の、該ジャケットの袖口位置に相対し、該表層外側、該表層内側、該ライナー層に設置し、
操作の便のため、該スイッチは上記のあらゆる位置に取り外し式に設置でき、実務の必要に応じて設置でき、該発熱片は、カーボン繊維素材により製造し、
該発熱片は、ファブリックと巻かれたカーボン繊維素材により製造され、該発熱片は、該スイッチにより、多数の段階の温度調節を選択することができる。
【考案の効果】
【０００９】
本考案の全天候型電熱保温ウェアは、発熱片の発熱を利用し暖かさを提供し、保温綿層と断熱アルミ箔層を利用し蓄熱/保温し、従来の技術に存在する欠点を解決して、温熱、保温、通気、発汗、防水機能を一体に結合することができる。
【図面の簡単な説明】
【００１０】
【図１】本考案実施例の立体図である。
【図２】図１に示す実施例の表層、防水通気層、断熱アルミ箔層、保温綿層、ライナー層の立体分解図である。
【図３】図１に示す実施例の収容設置部の配置模式図である。
【図４】図１に示す実施例の保温ウェアの展開図である。
【図５】図１に示す実施例の付加実施形態の立体図である。
【考案を実施するための形態】
【００１１】
本考案実施例の立体図である図１に、図２〜４を合わせて、本考案全天候型電熱保温ウェアについて詳細に説明する。
【実施例】
【００１２】
全天候型電熱保温ウェアは、外界と隔離するために用いる表層１０、防水通気層２０、断熱アルミ箔層３０、保温綿層４０、ライナー層５０、収容設置部６０、適量の発熱片７０、７０a、７０b、スイッチ８０を備える。
【００１３】
表層１０は、通気能力を備え、ジャケットの形状に製造することができる。表層１０は、後ろ身頃１１、後ろ身頃１１両側に連接する左、右前身頃１２、１３を備え、着用者は脱着することができる。
【００１４】
防水通気層２０は、表層１０内側に設置し、進入しようとする水分と強風を隔絶する。防水通気層２０表面には、複数の細密な微小孔２１を備え、湿気を外へ発散させる。
【００１５】
断熱アルミ箔層３０は、防水通気層２０内側に設置し、内外の温度差を隔絶する。さらに、断熱アルミ箔層３０は、複数の細密な通気孔３１を備えるため、湿気を外へ発散させることができる。
【００１６】
保温綿層４０は、断熱アルミ箔層３０内側に設置し、綿を充填して組成し、蓄熱の作用を備える。
【００１７】
ライナー層５０は、保温綿層４０内側に設置し、表層１０の輪郭に沿って、ジャケットと同じ形状に製造する。これにより、着用者は脱着することができる。
【００１８】
収容設置部６０は、袋状を呈しジャケット上の最適な位置に設置し、これにバッテリー９０を収容設置する。収容設置部６０外表には、バッテリー９０を取り出し、及び入れることができるファスナー６１を設置する。
【００１９】
発熱片７０、７０a、７０bは、保温綿層４０とライナー層５０との間に、それぞれミシン縫いして固定する。発熱片７０、７０a、７０bとバッテリー９０との間は、電源線７１を通して電気的に連接する。
【００２０】
スイッチ８０は、ジャケット上の最適な位置に設置し、電源線７１を通して、発熱片７０、７０a、７０bとバッテリー９０との間に電気的に連接する。
これにより、バッテリー９０を制御し、発熱片７０、７０a、７０bに給電し、発熱片７０、７０a、７０bを発熱させる。
【００２１】
上記した部品により組成し、ジャケットとして人体に着用することができる。これにより、発熱片７０、７０a、７０bは、後ろ身頃１１と左、右前身頃１２、１３に従い、着用者の身体に密着する。
【００２２】
使用時には、着用者は、スイッチ８０を調整することで、バッテリー９０を制御し、発熱片７０、７０a、７０bを発熱させる。これにより、発熱片７０、７０a、７０bが生じる熱エネルギーは、ライナー層５０を通して、ジャケット着用者に温熱効果を提供し、主動的に過熱する機能を発揮する。
【００２３】
発熱片７０、７０a、７０bが生じる熱エネルギーは、保温綿層４０と断熱アルミ箔層３０内側に蓄えられる。これにより、蓄熱保温、及び熱エネルギー伝導などの保温効果を生じ、こうして発熱片７０、７０a、７０bは加熱の持続が不要となり、電力と蓄熱保温の効果を延長させることができる。
【００２４】
さらに、断熱アルミ箔層３０と防水通気層２０は共に、通気能力を備えるため、ジャケット着用者が発する汗と湿気は、断熱アルミ箔層３０の通気孔３１を通して、防水通気層２０内側へ発散され、防水通気層２０の微小孔２１と表層１０を通して、外界へと発散され、その間も、断熱アルミ箔層３０は、暖気を保つことができる。
こうして、着用者はサラリと乾燥した快適感を得ることができる。
【００２５】
同時に、防水通気層２０は、外界の水分と強風が外から内へと侵入しないよう隔絶できる防水及び防風効果を備える。
しかも、防水通気層２０外側の表層１０も、一定程度の防水及び防風能力を備える。
【００２６】
本考案は発熱片７０、７０a、７０b、保温綿層４０、断熱アルミ箔層３０を利用して、最適な温熱及び保温効果を提供することができる。
さらに、発熱片７０、７０a、７０bを適当で理にかなった位置に定位できる。上記した最適で理にかなった位置は、人体の背中部、胸部、腹部などに近い保温する必要がある位置で、これらに快適に密着する接触感を提供することができる。しかも、着用者の行動により、発熱片７０、７０a、７０bの位置ずれを防止することができる。
多数の位置に設置する発熱片７０、７０a、７０b、保温綿層４０、断熱アルミ箔層３０の保温能力により、着用者の身体の各部位に対して、同時に温熱効果を提供することができる。
また、断熱アルミ箔層３０と防水通気層２０により、外界に対して通気を行い、汗を排出し、防水機能をも提供できる。
本考案は、温熱、保温、通気、発汗、防水機能を、単一の保温ウェアに結合する目的を達成することができる。
【００２７】
以下に本考案の具体的な実施方式について説明する。
実施時には、発熱片７０、７０a、７０bは、後ろ身頃１１と左、右前身頃１２、１３内部にそれぞれ設置し、ジャケット着用者の背中部、腹部、胸部位置に位置(図５参照)し、人体の保温が必要な部位に対して温熱を与える。
【００２８】
実施時には、後ろ身頃１１両側と左、右前身頃１２、１３の間頂点端には、２個の袖１４、１５を備える。収容設置部６０は、表層１０の袖１４、１５内側に位置し、ジャケット着用者の腕の位置に相対する。収容設置部６０は、表層１０外側、内側、またはライナー層５０上に位置する。収容設置部６０は、バッテリー９０の充電線９１、または充電用USBコンセント９２を備える。充電線９１または充電用USBコンセント９２は、ファスナー６１により収容設置部６０外に露出させることができる。
【００２９】
発熱片７０、７０a、７０bは、バッテリー９０により電力を蓄えることができ、コンピューターのUSBコンセント、クルマの充電コンセント、家庭内の110V電源を、バッテリー９０の主要な電力源とすることができる。これにより、発熱片７０、７０a、７０bを発熱させ、バッテリー９０の給電により、ジャケット着用者は自由に活動することができる。
【００３０】
実施時には、スイッチ８０は取り外し式とし、表層１０内側のジャケットの袖１４、１５に相対する袖口位置に設置することができる。
これにより、ジャケット着用者にとって、スイッチ８０の操作、調整が便利である。スイッチ８０は必要に応じて、表層１０外側、表層１０内側、またはライナー層５０上に設置する。
【００３１】
実施時には、発熱片７０、７０a、７０bは、カーボン繊維素材により製造する。カーボン繊維は、一定程度の電気抵抗を備えるため、カーボン繊維はバッテリー９０の給電を受けると発熱する。また発熱片７０、７０a、７０bは、ファブリックと巻かれたカーボン繊維素材により製造されても良い。
【００３２】
実施時には、スイッチ８０は多段階式で、発熱片７０、７０a、７０bは、スイッチ８０により、多数の段階の温度調節を可能とする。
しかも、スイッチ８０外側は、防水樹脂膜により覆う。
【００３３】
実施時には、後ろ身頃１１と左、右前身頃１２、１３頂点端のライナー層５０内側には、銀色の網布層１６をミシン縫製することができる。
これにより、ジャケット着用者の汗が、ライナー層５０を皮膚にべとつくのを防止することができる。
【００３４】
上記の本考案名称と内容は、本考案技術内容の説明に用いたのみで、本考案を限定するものではない。
本考案の精神に基づく等価応用或いは部品（構造）の転換、置換、数量の増減はすべて、本考案の保護範囲に含むものとする。
【産業上の利用可能性】
【００３５】
本考案は実用新案登録の要件である新規性を備え、従来の同類製品に比べ十分な進歩を有し、実用性が高く社会のニーズに合致しており、産業上の利用価値は非常に大きい。
【符号の説明】
【００３６】
１０  表層
１１  後ろ身頃
１２、１３  前身頃
１４、１５  袖
１６  網布層
２０  防水通気層
２１  微小孔
３０  断熱アルミ箔層
３１  通気孔
４０  保温綿層
５０  ライナー層
６０  収容設置部
６１  ファスナー
７０、７０a、７０b  発熱片
７１  電源線
８０  スイッチ
９０  バッテリー
９１  充電線
９２  USBコンセント
【図１】
0003177287.tif 000003
【図２】
0003177287.tif 000004
【図３】
0003177287.tif 000005
【図４】
0003177287.tif 000006
【図５】
0003177287.tif 000007